(57)【要約】      （修正有）【課題】地震などの振動により転倒することなく、かつ、見栄えのよい石碑を提供する。【解決手段】第一石材３には、上方へ開口する凹部１１が形成されている。凹部１１は、正方形状の第一凹部１３と、八角形状の第二凹部１５とにより構成され、第一凹部１３は、下方へ行くに従って内側へ傾斜する傾斜面とされる。第一凹部１３と第二凹部１５の境界四隅には、平坦面１７が形成されている。第二石材５は、その下端に下方へ突出する凸部２１が形成され、上端部に凹部２３が形成されている。凸部２１は、正方形状の第一凸部２５と、八角形状の第二凸部２７とにより構成され、第一凸部２５は、下方へ行くに従って内側へ傾斜する傾斜面とされる。第一凸部２５と第二凸部２７の境界四隅には、平坦面が形成されている。第二石材５の凸部２１が第一石材３の凹部１１にはめ込まれて、第一石材３に第二石材５が載置される。【選択図】図２
0003178209.tif 000002
【実用新案登録請求の範囲】
【請求項１】
二つ以上の石材が積み重ねられて構成される石碑であって、
下側に配置される石材の上部には、上方へ開口する凹部が形成され、この凹部の上端部は、下方へ行くに従って内側へ傾斜する傾斜面に形成されており、
上側に配置される石材の下端には、下方へ突出する凸部が形成され、この凸部の基端部は、下方へ行くに従って内側へ傾斜する傾斜面に形成されており、
上側の石材の凸部が、下側の石材の凹部にはめ込まれて、上側の石材が下側の石材に載せ置かれると共に、上側の石材の凸部の傾斜面とされた基端部と、下側の石材の凹部の傾斜面とされた上端部とが当接する
ことを特徴とする石碑。
【請求項２】
下側の石材の凹部は、上端部が平面視四角形状とされる一方、下部が平面視八角形状とされ、上端部と下部の境界の四隅には、平坦面が形成され、
上側の石材の凸部は、基端部が横断面四角形状とされる一方、先端部が横断面八角形状とされ、基端部と先端部の境界の四隅には、平坦面が形成されており、
下側の石材に、上側の石材が載せ置かれる際、上側の石材の凸部の先端部が、下側の石材の凹部の下部にはめ込まれ、上側の石材の凸部の傾斜面状の基端部が、下側の石材の凹部の傾斜面状の上端部に当接すると共に、下側の石材の凹部の平坦面と上側の石材の凸部の平坦面が当接する
ことを特徴とする請求項１に記載の石碑。
【考案の詳細な説明】
【技術分野】
【０００１】
本考案は、石碑に関するものであり、特に墓石に関するものである。
【背景技術】
【０００２】
従来、石碑は、１つの石材により構成されていたり、２つ以上の石材を積み上げて構成されたりしている。そして、石材を２つ以上積み上げて構成する場合、地震などの振動で上段の石材が倒れることがある。
【０００３】
そこで、下側の石材と上側の石材を粘着剤や粘着シートなどで固定したり、ボルトにより固定したりすることで、石材の転倒を防止することが行われている。
【考案の概要】
【考案が解決しようとする課題】
【０００４】
しかしながら、粘着剤や粘着シートなどで石材同士を固定する場合、石材間に隙間が生じ、見栄えが悪くなっていた。
また、ボルトなどで石材同士を固定する場合、ボルトを石材に取り付ける際、石材が割れるおそれがあった。
【０００５】
本考案が解決しようとする課題は、地震などの振動により転倒することなく、かつ、見栄えのよい石碑を提供することにある。
【課題を解決するための手段】
【０００６】
本考案は、前記課題を解決するためになされたもので、請求項１に記載の考案は、二つ以上の石材が積み重ねられて構成される石碑であって、下側に配置される石材の上部には、上方へ開口する凹部が形成され、この凹部の上端部は、下方へ行くに従って内側へ傾斜する傾斜面に形成されており、上側に配置される石材の下端には、下方へ突出する凸部が形成され、この凸部の基端部は、下方へ行くに従って内側へ傾斜する傾斜面に形成されており、上側の石材の凸部が、下側の石材の凹部にはめ込まれて、上側の石材が下側の石材に載せ置かれると共に、上側の石材の凸部の傾斜面とされた基端部と、下側の石材の凹部の傾斜面とされた上端部とが当接することを特徴とする石碑である。
【０００７】
さらに、請求項２に記載の考案は、下側の石材の凹部は、上端部が平面視四角形状とされる一方、下部が平面視八角形状とされ、上端部と下部の境界の四隅には、平坦面が形成され、上側の石材の凸部は、基端部が横断面四角形状とされる一方、先端部が横断面八角形状とされ、基端部と先端部の境界の四隅には、平坦面が形成されており、下側の石材に、上側の石材が載せ置かれる際、上側の石材の凸部の先端部が、下側の石材の凹部の下部にはめ込まれ、上側の石材の凸部の傾斜面状の基端部が、下側の石材の凹部の傾斜面状の上端部に当接すると共に、下側の石材の凹部の平坦面と上側の石材の凸部の平坦面が当接することを特徴とする請求項１に記載の石碑である。
【考案の効果】
【０００８】
本考案によれば、地震などの振動により転倒することなく、かつ、見栄えのよい石碑を提供できる。
【図面の簡単な説明】
【０００９】
【図１】本考案の石碑の一実施例を示す斜視図である。
【図２】図１の石碑を上方から見た分解斜視図である。
【図３】図１の石碑を下方から見た分解斜視図である。
【図４】図１の石碑を右側から見た分解断面図である。
【図５】本考案の石碑の別の実施例を示す分解斜視図である。
【考案を実施するための形態】
【００１０】
以下、本考案の石碑の一実施例について図面に基づいて具体的に説明する。
【００１１】
図１は、本考案の石碑の一実施例を示す斜視図である。
本実施例の石碑１は、４つの石材３，５，７，９が順に積み上げられて構成される墓石とされる。
【００１２】
図２は、本実施例の石碑を上方から見た分解斜視図であり、図３は、下方から見た分解斜視図である。また、図４は、本実施例の石碑を右側から見た分解断面図である。
【００１３】
最下段に配置される第一石材（下台）３は、平面視長方形状とされ、幅方向中央部には、上方へ開口する凹部１１が形成されている。
凹部１１は、第一石材３の上面に正方形状に開口する第一凹部１３と、この第一凹部１３の下部に第一凹部１３に連続して形成される八角形状の第二凹部１５とにより構成されている。
【００１４】
第一凹部１３の周面は、下方へ行くに従って内側へ傾斜する傾斜面に形成されており、図４に示すように、第一凹部１３は、縦断面において台形状に形成されている。
この第一凹部１３の下部に、平面視八角形状の第二凹部１５が形成され、第一凹部１３と第二凹部１５の境界の四隅、換言すれば第一凹部１３の下端部四隅には、三角形状の平坦面１７が形成されている。
【００１５】
本実施例では、第二凹部１５の底面中央部に、下面へ開口する矩形状の開口部１９がさらに形成されている。
【００１６】
第一石材３に載置される第二石材（中台）５は、平面視正方形状の石材とされ、その上面５ａは上方へ行くに従って内側へ傾斜する傾斜面に形成されている。
第二石材５は、その下端に、下方へ突出する凸部２１が形成される一方、上端部に、凹部２３が形成されている。
【００１７】
具体的には、第二石材５の下端部は、その外周面が下方へ行くに従って内側へ傾斜する傾斜面に形成されて、縦断面台形状の第一凸部２５が形成されている。
さらに、この第一凸部２５に連続して下方へ突出して横断面八角形状の第二凸部２７が形成されている。このような構成により、本実施例では、第一凸部２５と第二凸部２７の境界四隅、換言すれば第一凸部２５の下端部四隅には、三角形状の平坦面２９が形成されている。
第二石材５の第一凸部２５および第二凸部２７は、第一石材３の第一凹部１３および第二凹部１５に対応した形状とされ、第二石材５の第一凸部２５および第二凸部２７の上下寸法は、第一石材３の第一凹部１３および第二凹部１５の上下寸法にそれぞれ対応している。
【００１８】
第二石材５の上端部に形成される凹部２３は、第一石材３の凹部１１と同様の構成とされ、第二石材５の上面中央部に正方形状に開口する第一凹部３１と、この第一凹部３１に連続して下方へ凹んで形成される第二凹部３３とにより構成される。
【００１９】
第一凹部３１の周面は、下方へ行くに従って内側へ傾斜する傾斜面に形成されており、第一凹部３１は、縦断面台形状に形成されている。また、第一凹部３１に連続して形成される第二凹部３３は平面視八角形状とされている。第一凹部３１と第二凹部３３の境界、換言すれば、第一凹部３１の下端部の四隅には、三角形状の平坦面３５が形成されている。
【００２０】
第二石材５には、正面下端部の左右方向中央部に、手前側へ開口する矩形状の空洞部ｈが形成されており、この空洞部ｈは、下面にも開口している。さらに、第二石材５には、第二凹部３３の底面中央部から下方へ向けて円形の貫通穴３６が形成されている。
【００２１】
第三石材（上台）７は、平面視正方形状の石材とされ、その上面７ａは上方へ行くに従って中央部へ傾斜する傾斜面に形成されている。
【００２２】
第三石材７は、その下端部に凸部３７が形成されると共に、その上端部に凹部３９が形成されている。
第三石材７の下端部に形成される凸部３７は、第二石材５の凸部２１と同様の構成とされ、第一凸部４１と第二凸部４３とにより構成されていると共に、第一凸部４１と第二凸部４３の境界四隅には平坦面４５が形成されている。
第三石材７の第一凸部４１および第二凸部４３は、第二石材５の第一凹部３１および第二凹部３３に対応した形状とされている。
【００２３】
また、第三石材７の上端部に形成される凹部３９は、第二石材５の凹部２３と同様の構成とされ、第一凹部４７と第二凹部４９とにより構成されている。第一凹部４７は、その周面が下方へ行くに従って内側へ傾斜する傾斜面に形成されている。また、第二凹部４９は、平面視八角形状とされ、第一凹部４７と第二凹部４９の境界四隅には、平坦面５１が形成されている。
【００２４】
第三石材７の第二凹部４９の底面中央部には、下方へ向けて円形の貫通穴５２が形成されている。
【００２５】
第四石材（棹石）９は、平面視正方形状とされる一方、上下に長い石材とされる。
第四石材９は、その下端に凸部５５が形成されている。
【００２６】
第四石材９の凸部５５は、第二石材５の凸部２１や第三石材７の凸部３７と同様の構成とされ、第一凸部５７と第二凸部５９とにより構成されており、第一凸部５７と第二凸部５９の境界四隅には、平坦面６１が形成されている。
第四石材９の第一凸部５７および第二凸部５９は、第三石材７の第一凹部４７および第二凹部４９に対応した形状とされている。
【００２７】
このような構成の各石材３，５，７，９が順次積み上げられることで、墓石が構成される。まず、地面に載置された第一石材３の凹部１１に、第二石材５の凸部２１がはめ込まれて、第一石材３に第二石材５が載せ置かれる。
具体的には、第二石材５の第一凸部２５および第二凸部２７が、第一石材３の第一凹部１３および第二凹部１５にそれぞれはめ込まれて設けられ、この際、第二石材５の三角形状の平坦面２９が、第一石材３の三角形状の平坦面１７に当接する。
本実施例では、第二石材５が第一石材３に載置された際、第二石材５の傾斜面状の第一凸部２５が、第一石材３の傾斜面状の第一凹部１３と当接して配置されることで、その接合部分に隙間が生じず、接合部分は目立たず、見栄えの良いものとなる。
【００２８】
次に、第二石材５に、第三石材７が載せ置かれる。
この際、第一石材３に第二石材５を載置する場合と同様、第三石材７の第一凸部４１および第二凸部４３が、第二石材５の第一凹部３１および第二凹部３３にそれぞれはめ込まれて配置される。また、第三石材７の平坦面４５が、第二石材５の平坦面３５に当接される。
【００２９】
第二石材５に第三石材７が載置される場合も、傾斜面とされた第一凸部４１と第一凹部３１同士が当接することで、接合部が目立たず、見栄えがよいものとなる。
【００３０】
さらに、同様にして、第四石材９が第三石材７に載せ置かれて設けられる。
【００３１】
本実施例では、石材同士が積み重ねられる際、下段の石材の凹部１１，２３，３９に、上段の石材の凸部２１，３７，５５がはめ込まれることで、地震などの振動による石材の転倒を防止できる。
また、石材同士の接合部において、傾斜面同士が当接する構成とされることで、石材同士の繋ぎ目が目立たず、見栄えの良い石碑となる。
【００３２】
本考案の墓石は、上記実施例の構成に限らず、適宜変更可能である。
たとえば、各石材の形状は、適宜変更可能である。
また、上記実施例では、４つの石材３，５，７，９により墓石を構成したが、２つや３つまたは、５つ以上の石材により石碑を構成してもよい。たとえば、図５に示すように、２つの石材７１，７３により墓石を構成してもよい。この際、下側の石材７１の上端部に凹部７５を形成し、上側の石材７３の下端部に凸部７７を形成すればよい。具体的には、上記実施例と同様、下側の石材７１の凹部７５は、第一凹部７９と第二凹部８１とにより構成され、第一凹部７９と第二凹部８１の境界四隅には、平坦面８３が形成される。また、上側の石材７３の凸部７７は、第一凸部８５と第二凸部８７とにより構成され、第一凸部８５と第二凸部８７の境界四隅には、平坦面８９が形成される。このような構成により、上記実施例と同様、下側の石材７１に上側の石材７３がはめ込まれた状態では、傾斜面７９，８５同士が当接することで、接合部分が目立たず、見栄えが良いものとなり、かつ、地震などにより転倒するおそれがない。
【００３３】
さらに、各石材３，５，７，９の凸部２１，３７，５５および凹部１１，２３，３９の形状は、適宜変更可能である。
【符号の説明】
【００３４】
１    墓石
３    第一石材
５    第二石材
７    第三石材
９    第四石材
１１    凹部
１３    第一凹部
１５    第二凹部
２１    凸部
２３    凹部
２５    第一凸部
２７    第二凸部
２９    平坦面
３１    第一凹部
３３    第二凹部
【図１】
0003178209.tif 000003
【図２】
0003178209.tif 000004
【図３】
0003178209.tif 000005
【図４】
0003178209.tif 000006
【図５】
0003178209.tif 000007